(57)【要約】      （修正有）【課題】適合する寸法の吊部材以外の吊部材又は取付対象である吊部材以外の部材を含む別部材に配管支持具を取り付けることにある。【解決手段】配管支持具用アタッチメント５０は、その適合する寸法ではない吊ボルト９０に配管支持具７０を取り付けるためアタッチメント（付属品）であり、配管支持具７０に装着するための略コ字形の装着部と、その装着部の上下折曲部に吊ボルト９０と係合する係合孔５３，５５と、その装着部の垂直基部に係合孔５３，５５へ吊ボルト９０を付勢する付勢材６０とを備える。【選択図】図４
2019027515.tif 000002
【特許請求の範囲】
【請求項１】
配管を支持するために垂下された吊部材に取り付ける配管支持具をその適合する寸法の吊部材以外の吊部材と取付対象である吊部材以外の部材とを含む別部材に取り付けるためのアタッチメントであって、
当該アタッチメントは、配管支持具に装着するための装着部と、
別部材に当該アタッチメントを取り付けるための取付部と、
を備えたことを特徴とする配管支持具用アタッチメント。
【請求項２】
当該アタッチメントは、配管支持具又は／及び別部材に対して着脱可能に装着されることを特徴とする請求項１記載の配管支持具用アタッチメント。
【請求項３】
当該アタッチメントは、別部材に配管支持具を脱落無く取り付けられることを特徴とする請求項１又は２記載の配管支持具用アタッチメント。
【請求項４】
当該アタッチメントの装着部は、吊部材に取り付けるため配管支持具に設けられた取付構造部に対して係合させることで配管支持具に装着することを特徴とする請求項１記載の配管支持具用アタッチメント。
【請求項５】
当該アタッチメントの装着部は、吊部材に取り付けるため配管支持具に設けられた取付構造部に対して係合部材を用いて配管支持具に装着することを特徴とする請求項１記載の配管支持具用アタッチメント。
【請求項６】
当該アタッチメントの取付部は、別部材に対して係合させることで別部材に当該アタッチメントを取り付けることを特徴とする請求項１，４，５のいずれかに記載の配管支持具用アタッチメント。
【請求項７】
当該アタッチメントの取付部は、別部材に対して係合部材を用いて係合させることで別部材に当該アタッチメントを取り付けることを特徴とする請求項１，４，５のいずれかに記載の配管支持具用アタッチメント。
【請求項８】
当該アタッチメントは、吊部材に取り付けるため配管支持具に設けられた取付構造部が少なくとも同一となる配管支持具に対しては、別部材ごとに１態様のアタッチメントで対応可能であることを特徴とする請求項１記載の配管支持具用アタッチメント。
【請求項９】
請求項１から８のいずれかに記載の配管支持具用アタッチメントを備えた配管支持具。
【発明の詳細な説明】
【技術分野】
【０００１】
本願発明は、配管を支持するために建築構造体から垂下された吊部材に取り付ける配管支持具に関するものである。
【背景技術】
【０００２】
配管を支持するために建築構造体から垂下された吊部材に取り付ける配管支持具に関する先行技術文献としては、次のようなものがある。
【先行技術文献】
【特許文献】
【０００３】
【特許文献１】特開２０１０−２２３２４１号公報
【発明の概要】
【発明が解決しようとする課題】
【０００４】
特許文献１に示すような配管支持具は、吊部材として流通の多いサイズ（Ｗ３／８）用のものがほとんどである。そのため、サイズの異なる吊部材（例えば、Ｗ１／２）に対して配管支持具を取り付ける必要がある場合には、異径高ナット等で吊部材のサイズ切り替えが必要になる（例えば、Ｗ１／２からＷ３／８へ）。しかし、その場合には次のようなデメリットの起こる可能性がある。
（１）施工スペースに限りがあり、異径高ナットを継ぐことができない。
（２）吊部材端部に予め決められた取付製品があるため、異径高ナットを継ぐことができない。
【０００５】
一方で、サイズの異なる吊部材専用の専用品を製造することに対しては、次のようなデメリットがある。
（１）吊部材の出荷量から推測される使用量が少なく、生産効率が悪くなる。
（２）現場での混乱を来すことがある。例えば、Ｗ３／８サイズの吊部材にＷ１／２サイズ用の配管支持具が使用されるような施工ミスの発生が起こりうる。
【０００６】
このため、現状では流通の多いサイズ（Ｗ３／８）以外の専用品は無いため、現場では新たに適合する吊部材を吊り下げることも考えられるが、施工スペースが必要になり、またコストや時間がかかってしまう。
【０００７】
そこで、本願発明者は、上記した課題を解決して、適合する寸法の吊部材以外の吊部材又は取付対象である吊部材以外の部材を含む別部材に配管支持具の取り付けを可能とすべく鋭意試験・研究を行い、本願発明を完成するに至った。
【課題を解決するための手段】
【０００８】
上記目的を達成するために、第１の発明は、配管を支持するために垂下された吊部材に取り付ける配管支持具をその適合する寸法の吊部材以外の吊部材と取付対象である吊部材以外の部材とを含む別部材に取り付けるためのアタッチメント（付属品）であって、当該アタッチメントは、配管支持具に装着するための装着部と、別部材に当該アタッチメントを取り付けるための取付部と、を備えたことを特徴とする配管支持具用アタッチメントである。
ここで、「適合する寸法の吊部材以外の吊部材」には、適合する寸法より大きなサイズの吊部材だけでなく、小さなサイズの吊部材も含むものである。
また、「吊部材以外の部材」とは、垂下された吊部材（全ネジや丸棒など）に限らず、アングルやチャンネルや鋼材などを意味する。
第２の発明は、当該アタッチメントが、配管支持具又は／及び別部材に対して着脱可能に装着されることを特徴とする同配管支持具用アタッチメントである。
第３の発明は、当該アタッチメントが、別部材に配管支持具を脱落無く取り付けられることを特徴とする同配管支持具用アタッチメントである。
第４の発明は、当該アタッチメントの装着部が、吊部材に取り付けるため配管支持具に設けられた取付構造部に対して係合させることで配管支持具に装着することを特徴とする同配管支持具用アタッチメントである。
第５の発明は、当該アタッチメントの装着部が、吊部材に取り付けるため配管支持具に設けられた取付構造部に対して係合部材を用いて配管支持具に装着することを特徴とする同配管支持具用アタッチメントである。
第６の発明は、当該アタッチメントの取付部が、別部材に対して係合させることで別部材に当該アタッチメントを取り付けることを特徴とする同配管支持具用アタッチメントである。
第７の発明は、当該アタッチメントの取付部が、別部材に対して係合部材を用いて係合させることで別部材に当該アタッチメントを取り付けることを特徴とする同配管支持具用アタッチメントである。
第８の発明は、当該アタッチメントが、吊部材に取り付けるため配管支持具に設けられた取付構造部が少なくとも同一となる配管支持具に対しては、別部材ごとに１態様のアタッチメントで対応可能であることを特徴とする同配管支持具用アタッチメントである。
第９の発明は、上記第１から第８の発明に係る配管支持具用アタッチメントを備えた配管支持具である。
【発明の効果】
【０００９】
上記した本願発明によれば、以下のような効果を有する。
（１）配管支持具に装着するための装着部と、別部材に当該アタッチメントを取り付けるための取付部と、を備えた配管支持具用アタッチメントを有することで、その適合する寸法の吊部材以外の吊部材と取付対象である吊部材以外の部材とを含む別部材に配管支持具（既存・新規を問わず）を取り付けることができる。
（２）適合する寸法以外の吊部材に取り付けられるのみならず、吊部材以外の部材（例えば、アングルやチャンネルや鋼材など）にも取り付けられるので、配管支持具を取り付ける垂下された吊部材が無いときに、本来であれば新たな吊部材を施工せざるを得ないが、吊部材に代わる部材があればそれに取り付けて吊部材の代用とできる。
（３）配管支持具や別部材に対して着脱可能に装着したり、別部材に配管支持具を脱落無く取り付けられるので、作業の効率化・施工の安定化を図れる。
（４）吊部材に取り付けるため配管支持具に設けられた取付構造部を同一にする配管支持具に対しては、別部材ごとに１態様のアタッチメントで対応可能であることで、在庫を抑制できる。すなわち、製品数が（取付対象×既存製品）とはならない。また、取付対象の選択肢が増え、想定外の寸法の吊部材にも取り付け可能になる。
【図面の簡単な説明】
【００１０】
【図１】配管支持具用アタッチメントを説明するための説明図。
【図２】配管支持具用アタッチメントの第１実施形態を示す説明図（１）。
【図３】配管支持具用アタッチメントの第１実施形態を示す説明図（２）。
【図４】配管支持具用アタッチメントの第１実施形態を示す説明図（３）。
【図５】配管支持具用アタッチメントの第２実施形態を示す説明図。
【図６】配管支持具用アタッチメントの第３実施形態を示す説明図。
【発明を実施するための形態】
【００１１】
図１は、本願発明に係る配管支持具用アタッチメントを説明するための説明図である。
図１の左図は、これまでの配管支持構造を図示している。すなわち、適合する吊部材である被取付部材Ａに配管支持具を直接に取り付けている。
これに対して、図１の右図は、本願発明のよる新たな配管支持構造を図示している。すなわち、適合する吊部材である被取付部材Ａ以外の別部材である被取付部材Ａ’，Ｂ，Ｃ，Ｄに配管支持具を取り付けるために、アタッチメントを用いてその取付を実現させるものである。
ここで、被取付部材Ａ〜Ｃには、例えば、以下のようなものが挙げられる。
・被取付部材Ａ  ：全ネジ（Ｗ３／８）
・被取付部材Ａ’：全ネジ（Ｗ３／８以外）
・被取付部材Ｂ  ：Ｌ型鋼、Ｃ型鋼
・被取付部材Ｃ  ：チャンネル、レール、アングル
・被取付部材Ｄ  ：丸棒
【００１２】
次に、被取付部材とアタッチメントと配管支持具との三者間は、次のような取付関係になっている。なお、（２）と（３）双方からの場合も含まれる。
（１）アタッチメントから被取付部材へ
（２）アタッチメントから支持具へ
（３）支持具からアタッチメントへ
【００１３】
そして、その取付関係における取付構造を整理すると次のようになる。
（１）被取付部材の形状に合わせたアタッチメントの取付構造
その１：ボルト、締結部材（後付けワッシャを想定）を利用した機械的な締結
その２：弾性体（ゴム、バネ等）の弾性を利用した係合
その３：被取付部材の形状に合わせた嵌合（塑性変形）
その４：被取付部材の形状に合わせた係合（略円弧状、本体の弾性を利用）
（２）配管支持具の取付構造部の構成を利用したアタッチメントの取付構造
その１：ボルト、締結部材（後付けワッシャを想定）を利用した機械的な締結
その２：弾性体（ゴム、バネ等）の弾性を利用した係合
その３：被取付部材の形状に合わせた嵌合（塑性変形）
その４：被取付部材の形状に合わせた係合（略円弧状、本体の弾性を利用）
（３）配管支持具の取付構造部の構成と取付機能を利用した取付構造
その１：弾性体（ゴム、バネ等）の弾性を利用した係合
【００１４】
図２〜図４は、本願発明に係る配管支持具用アタッチメントの第１実施形態を示す説明図である。
図２に図示するように、配管支持具用アタッチメント５０（アタッチメント５０）は、天井（例：スラブ）や吊下げ金具（例：クランプ）等の建築構造体から垂下された吊部材としての吊ボルト９０に配管支持具７０を取り付けるためのアタッチメント（付属品）である。その構造は、配管支持具７０を吊ボルト９０に取り付けるために設けられた取付構造部７１と同じになっている。すなわち、配管支持具７０に装着するための略コ字形の装着部５１と、吊りボルト９０に取り付けるための取付部としてその装着部５１の上下折曲部５２，５４に吊ボルト９０と係合する係合孔５３，５５と、その装着部５１の垂直基部５６に係合孔５３，５５へ吊ボルト９０を付勢する付勢材６０とを備える。
【００１５】
当該付勢材６０は、水平断面略Ｖ字形に形成された弾性体からなり、その両先端６１，６２は装着部６１の横幅から突出してツマミ部６３を形成する。また、吊ボルト９０と接する側縁６４，６６は吊ボルト９０側へ傾斜して係合部６５，６７を形成する。このツマミ部６３によって吊ボルト９０への取り付け操作性が向上するとともに、係合部６５，６７によって吊ボルト９０への確実な取付固定が実現できる（図４を参照）。
【００１６】
図３に図示するように、このアタッチメント５０を配管支持具７０に装着する。詳しくは、配管支持具７０の取付構造部７１の上下折曲部７２，７４に設けられた鉤型の係合孔７３，７５に、装着部５１の垂直基部５６を挿通させて付勢材８０によって係合するものである。これによって、容易且つ確実にアタッチメント５０を配管支持具７０に装着することができるとともに、簡易的に着脱可能に装着できる。
【００１７】
そして、図４に図示するように、配管支持具７０（例えば、Ｗ３／８吊ボルト用）では取り付けることができなかった別部材の異なる寸法の吊ボルト９０（例えば、Ｗ１／２）にアタッチメント５０を介して取り付けることができるようになる。
【００１８】
図５及び図６は、本願発明に係る配管支持具用アタッチメントのその他の実施形態を示す説明図である。図２〜図４に図示する第１実施形態と異なるのは、吊部材以外の部材に配管支持具を取り付けるための配管支持具用アタッチメントである点である。
【００１９】
まず、図５に図示する第２実施形態は、Ｃ型鋼に取り付ける配管支持具用アタッチメントを図示する。
配管支持具用アタッチメント５０ｂ（アタッチメント５０ｂ）は、水平方向に敷設された別部材としてのＣ型鋼９１に配管支持具７０を取り付けるためのアタッチメント（付属品）である。その構造は、配管支持具７０に装着するための略コ字形の装着部５１ｂと、Ｃ型鋼９１に取り付けるための取付部としてその装着部５１ｂの上下折曲部５２ｂ，５４ｂにそれぞれＣ型鋼９１と係合する係合爪５３ｂ，ボルト孔５５ｂと、その装着部５１ｂの垂直基部５６ｂに反配管支持具７０側へＣ型鋼９１を付勢する付勢材６０ｂとを備える。こうした構造により、アタッチメント５０ｂをＣ型鋼９１へ取り付けることができ、結果として配管支持具７０（例えば、Ｗ３／８吊ボルト用）では取り付けることができなかった別部材のＣ型鋼９１にアタッチメント５０ｂを介して取り付けることができるようになる。
【００２０】
次に、図６に図示する第３実施形態は、チャンネルに取り付ける配管支持具用アタッチメントを図示する。
配管支持具用アタッチメント５０ｃ（アタッチメント５０ｃ）は、壁面の上下方向に敷設された別部材としてのチャンネル９２に配管支持具７０を取り付けるためアタッチメント（付属品）である。その構造は、配管支持具７０に装着するための略コ字形の装着部５１ｃと、チャンネル９２に取り付けるための取付部としてその装着部５１ｃの上下折曲部５２ｃ，５４ｃにそれぞれチャンネル９２と係合する係合突起５３ｃ，５５ｃと、その装着部５１ｃの垂直基部５６ｃに反配管支持具７０側へチャンネル９２を付勢する付勢材６０ｃとを備える。こうした構造により、アタッチメント５０ｃをチャンネル９２へ取り付けることができ、結果として配管支持具７０（例えば、Ｗ３／８吊ボルト用）では取り付けることができなかった別部材のチャンネル９２にアタッチメント５０ｃを介して取り付けることができるようになる。
【産業上の利用可能性】
【００２１】
本願発明に係る配管支持具用アタッチメントは、配管支持具の付属品として広く利用できるものであり、当該配管支持具をその適合する寸法の吊部材以外の吊部材と取付対象である吊部材以外の部材とを含む別部材に取り付けるために利用できる。
【符号の説明】
【００２２】
５０  配管支持具用アタッチメント（第１実施形態）
５１  装着部
５２  上折曲部
５３  係合孔
５４  下折曲部
５５  係合孔
５６  垂直基部
６０  付勢材
６１  先端
６２  先端
６３  ツマミ部
６４  帯体側縁
６５  係合部
６６  帯体側縁
６７  係合部
７０  配管支持具
７１  取付構造部
７２  上折曲部
７３  係合孔
７４  下折曲部
７５  係合孔
８０  付勢材
９０  吊ボルト
【図１】
2019027515.tif 000003
【図２】
2019027515.tif 000004
【図３】
2019027515.tif 000005
【図４】
2019027515.tif 000006
【図５】
2019027515.tif 000007
【図６】
2019027515.tif 000008